(57)【特許請求の範囲】
【請求項１】
側断面ほぼＳ字形に形成された中継ジャックの両端部に互いに反対方向に開口した２つの開口部を有し、該両開口部に異なるモジュラーケーブルのコネクタプラグを挿入係止し、両モジュラーケーブルを電気的に接続する接点部を有する中継ジャックであって、
前記接点部を有し両端部が互いに反対方向に折曲されているジャックベース部と、
前記ジャックベース部の両端部に有する支点を介して内外方向へ折り畳み自在に接続されたジャックカバー部と、
を備え、
使用時には、前記両ジャックカバー部を、前記支点を支点として前記ジャックベース部の外側に回動させ、使用後には、内側に回動させて折り畳み自在としたことを特徴とする中継ジャック。
【請求項２】
前記請求項１記載の中継ジャックを折り畳んだ状態で格納する、モジュラーケーブルと中継ジャックを収納する収納ケースであって、
本体の内部に、
モジュラーケーブルを巻装して格納するリール台と、
リール台の反対側に前記本体の内部にモジュラーケーブルを引き込んで巻回させるぜんまいばねと、
前記前記折り畳まれた状態の中継ジャックを格納する中継ジャック収納部と
を設けたことを特徴とするモジュラーケーブルと中継ジャックを収納する収納ケース。
【発明の詳細な説明】
【０００１】
【発明の属する技術分野】
本発明は、例えば、モジュラーケーブルと、中継ジャックとを一緒に収納可能な収納ケースおよび中継ジャックに関する。
【０００２】
【従来の技術】
一般に、電子手帳やモデム（変復調装置）を有するパーソナルコンピュータ、携帯ファクシミリ等の携帯情報端末（ＰＤＡ：Ｐｅｒｓｏｎａｌ  Ｄｉｇｉｔａｌ  Ａｓｓｉｓｔａｎｔｓ）などが知られているが、この携帯情報端末を外出先や出張先のホテル等で電話回線等の通信回線を利用して使用する場合には、例えば、モジュラーケーブル巻取リール等に収納されたモジュラーケーブルと中継ジャックとを別個に持参し、ホテルの部屋まで敷設されている通信回線のモジュラーケーブルのコネクタプラグを、前記中継ジャックの一方の開口部に嵌め込んで接続すると共に、他方の開口部に携帯情報端末に接続されたモジュラーケーブルのコネクタプラグを嵌め込んで接続して通信回線を延長する。
【０００３】
これによって、ユーザの所望の場所で情報の収集や検索或は発信等のコミュニケーションを行っていた。
【０００４】
【発明が解決しようとする課題】
しかしながら、上記従来の中継ジャックは形状が比較的大きな、例えば、角張った長方形状をしており、したがって、この中継ジャックを前記モジュラーケーブル巻取リール内にモジュラーケーブルと一緒にコンパクトに収納することは困難であった。その為、中継ジャックと前記モジュラーケーブル巻取リールを分離して携帯する必要があり携帯性に劣っていた。
【０００５】
そこで、この発明は、中継ジャックとモジュラケーブルとを共に収納することができる収納ケースおよび該収納ケースにコンパクトに収納することができる中継ジャックを提供することを目的とする。
【０００７】
【課題を解決するための手段】
上記目的を達成するために本発明の中継ジャックは、側断面ほぼＳ字形に形成された中継ジャックの両端部に互いに反対方向に開口した２つの開口部を有し、該両開口部に異なるモジュラーケーブルのコネクタプラグを挿入係止し、両モジュラーケーブルを電気的に接続する接点部を有する中継ジャックであって、前記接点部を有し両端部が互いに反対方向に折曲されているジャックベース部と、前記ジャックベース部の両端部に有する支点を介して内外方向へ折り畳み自在に接続されたジャックカバー部と、を備え、使用時には、前記両ジャックカバー部を、前記支点を支点として前記ジャックベース部の外側に回動させ、使用後には、内側に回動させて折り畳み自在としたことを特徴とする。
【０００８】
また、本発明のモジュラーケーブルと中継ジャックを収納した収納ケースは、前記請求項１記載の中継ジャックを折り畳んだ状態で格納する、モジュラーケーブルと中継ジャックを収納する収納ケースであって、本体の内部に、モジュラーケーブルを巻装して格納するリール台と、リール台の反対側に前記本体の内部にモジュラーケーブルを引き込んで巻回させるぜんまいばねと、前記前記折り畳まれた状態の中継ジャックを格納する中継ジャック収納部とを設けたことを特徴とする。
【０００９】
したがって、本発明のモジュラーケーブルと中継ジャックを収納する収納ケースによれば、モジュラーケーブルと中継ジャックを一緒に収納することができるため、中継ジャックとモジュラーケーブルを分離して持つ必要が無く、携帯性が向上する。
【００１０】
また、本発明の中継ジャックによれば、使用時は、前記両ジャックカバー部を、前記支点を支点として前記ジャックベース部の外側に回動させて使用する。また、使用後は、前記両ジャックカバー部を、前記支点を支点として前記ジャックベース部の内側に回動させて折り畳むことができるため、中継ジャックのコンパクト化が図れ、前記収納ケースへの収納性が向上する。
【００１１】
【発明の実施の形態】
以下、本発明の一実施形態について図面を用いて説明する。
【００１２】
図１、図２は、この発明の一実施形態のモジュラーケーブル５と中継ジャック６を収納する収納ケース１を示し、この収納ケース１は、両先端にコネクタプラグ５ｂを有するモジュラーケーブル５が巻装された状態で格納されると共に、中継ジャック６が折り畳まれた状態で格納されるようになっている。
【００１３】
具体的に説明すれば、収納ケース１は、ほぼ楕円形状の両側壁１ａ，１ｂと、該両側壁１ａ，１ｂの外周縁を結合する環状の周壁１ｃとを備え、これらによって、内部に楕円状のモジュラーケーブル収納室１ｄを隔成している。このモジュラーケーブル収納室１ｄの内部には、前記側壁１ａ内側中央部に軸部２が一体的に設けられていると共に、一端側に中継ジャック６を収納する中継ジャック収納室１ｅが形成されている。また、前記周壁１ｃの中継ジャック収納室１ｅ近傍には、中継ジャック６の取り出し用のジャック取り出し孔１ｇが設けられ、このジャック取り出し孔１ｇを覆うように例えば、ゴム製のゴムカバー１ｈが設けられている。
【００１４】
さらに、前記モジュラーケーブル収納室１ｄ内には、モジュラーケーブル５を巻き取る為の円板上のリール台３が配置されている。このリール台３は、中央孔３ａを介して前記軸部２に回転自在に支持されていると共に、前記中央孔３ａの外周側には、モジュラーケーブル５を巻き取る為のドラム部３ｂが一体に設けられている。このドラム部３ｂは、半割状の２つの円弧突起状に形成され、直径方向位置に、モジュラーケーブル５の中央部５ａを巻き付けて係止させる係止用溝３ｃ，３ｃが切欠形成されている。
【００１５】
また、前記モジュラーケーブル収納室１ｄのリール台３との反対側には、渦巻状のぜんまいばね４が配置されている。このぜんまいバネ４は、一端が前記軸部２に止着されると共に、他端が前記リール台３の外周端に止着され、収納ケース１から引き出されたモジュラーケーブル５を収納ケース１内に格納する場合に、ばね力によって収納ケース１内部に引き込んで巻回させる機能を有している。また、収納ケース１の周壁１ｃ両端には、モジュラーケーブル５の一端が接続されたコネクタプラグ５ｂを収納保持する段差状の収納保持部１ｆ，１ｆが形成されており、この収納保持部１ｆ，１ｆによってモジュラーケーブル５が全て収納ケース１内部に引き込まれのを防止している。
【００１６】
前記コネクタプラグ５ｂは、図３の仮想線に示すように、箱型形状であると共に、上端側には爪部５ｃおよび内部には端子部５ｄが設けられている。前記中継ジャック６等と係止する場合には、該爪部５ｃの弾発力で中継ジャック６内にある図示しない係止溝と係止するようになっており、係止を解除する場合は、爪部５ｃを指等で押し下げながら引き出すとコネクタプラグ５ｂが抜けるようになっている。
【００１７】
前記中継ジャック６は、電話回線等の通信回線と前記モジュラーケーブル５またはモジュラーケーブル５同士を接続中継する場合等に用いられ、図３，図４および図１２（ａ）〜（ｃ）に示すように、折り畳み自在に形成され、使用時には側面がほぼＳ字状の形状をしており、ジャックベース部７と、ジャックカバー部８，９とから大略構成されている。
【００１８】
ジャックベース部７は、図５〜図７に示すように、形状がほぼＳ字状に形成されていると共に、両側面７ｂ，７ｃが平坦上になっている基部７ａを有し、この基部７ａの両端部に互いに反対方向へ直角に折曲された両端部７ｄ，７ｅを有している。この両端部７ｄ，７ｅには、突起状の支持軸１０，１０、１１，１１がそれぞれ設けられており、この支持軸１０，１０、１１，１１を介してジャックカバー部８，９を回動自在に支持している。
【００１９】
また、両端部７ｄ，７ｅ間には、基部７ａを介して電気的な接点１２が設けられている。この接点１２は、クランク状に折曲され、一端が一端部７ｄの内端面に固定されている一方、他端も他端部７ｅの内端面に固定されると共に、基部７ａの内部を貫通しており、接続すべきコネクタプラグが挿入された場合に、それぞれのコネクタプラグを電気的に接続する。
【００２０】
各ジャックカバー部８，９は、図８〜図１０に示すように、ほぼＬ字状に折曲され、各一側壁８ａ，９ａの各端部が前記支持軸１０，１０、１１，１１に回動自在に取り付けられ、中継ジャック６を展開した状態では、前記ジャックベース部７の基部７ａの両側面７ｂ，７ｃと各他側壁８ｂ，９ｂとがそれぞれ平行になるように折曲されている。
【００２１】
また、前記ジャックベース部７の基部７ａの側面７ｂと前記ジャックカバー部８の他側壁８ｂとが挟む空間および前記基部７ａの側面７ｃと前記ジャックカバー部９の他側壁９ｂとが挟む空間には、一対の開口部１３，１４が互いに反対方向に開口して設けられており、この一方の開口部１３にコネクタプラグ５ｂが嵌入係止されるようになっている。一方、他方の開口部８には、別異のモジュラーケーブル１５のコネクタプラグ１５ｂが嵌入係止されるようになっている。このコネクタプラグ１５ｂの構成は、前記コネクタプラグ５ｂの構成と同様であるので説明は省略する。
【００２２】
以下、上記構成の作用を説明する。使用時には、まず、収納ケース１のゴムカバー１ｈを開けて中継ジャック収納室１ｅから中継ジャック６を取り出し、両ジャックカバー部８，９を、前記支持軸１０，１０、１１，１１を支点として前記ジャックベース部７の外側に回動させて展開する。
【００２３】
次に、収納ケース１から両コネクタプラグ５ｂを持って、モジュラーケーブル５をぜんまいばね４の力に反して引き出し、例えば図１１に示すように、そのまま一方のコネクタプラグ５ｂを前記展開した中継ジャック６の一方の開口部１３に挿入して係止させると共に、他方のコネクタプラグ５ｂをパソコンに挿入する。
【００２４】
また、中継ジャック６の他方の開口部１４にも、電話回線等の別異のモジュラーケーブル１５の先端に有するコネクタプラグ１５ｂを挿入して係止させることによって、接続作業が完了する。
【００２５】
使用後には、一旦、各コネクタプラグ５ｂ，１５ｂを各開口部１３，１４から爪部５ｃ，１５ｃを介して抜いて、次に、図１２（ａ）〜（ｃ）に示すように、両ジャックカバー部８，９を、前記支持軸１０，１０、１１，１１を支点として前記ジャックベース部７の内側に回動させて折り畳む。これによって、中継ジャック６は、きわめてコンパクト化できる。そして、前記ゴムカバー１ｈを開けて、折り畳んだ中継ジャック６を前記収納ケース１内の中継ジャック収納室１ｅ内に収納する。
【００２６】
また、引き出したモジュラーケーブル５は、前記ぜんまいばね４の力を利用して収納ケース１内のモジュラーケーブル収納室１ｄに自動的に巻き取られ収納される。
【００２７】
【発明の効果】
以上述べたように本発明の収納ケースによれば、本体の内部にモジュラーケーブルを巻装して格納すると共に、前記モジュラーケーブル同士または通信回線とモジュラーケーブルを接続して中継する中継ジャックを格納する空間部を設けたので、モジュラーケーブルと中継ジャックを一緒に収納することができ、中継ジャックとモジュラーケーブルを分離して持つ必要が無く、中継ジャックおよびモジュラーケーブルの携帯性が向上するという効果を有する。
【００２８】
また、本発明の中継ジャックによれば、ジャックカバー部を、ジャックベース部の両端部に有する支点を介して内外方向へ折り畳み自在に接続されたジャックカバー部を形成したので、使用後は、両ジャックカバー部を、前記支点を支点として前記ジャックベース部の内側に回動させて折り畳むことによって、中継ジャックのコンパクト化が図れ、前記収納ケースへの収納性が向上する。
【図面の簡単な説明】
【図１】収納ケース１の平面図。
【図２】図１におけるＡ−Ａ断面図。
【図３】図４におけるＢ−Ｂ断面図。
【図４】中継ジャック６の正面図。
【図５】ジャックベース部７の平面図。
【図６】図５におけるＣ−Ｃ断面図。
【図７】ジャックベース部７の正面図。
【図８】ジャックカバー部８，９の平面図。
【図９】図８におけるＤ−Ｄ断面図。
【図１０】ジャックカバー部８，９の正面図。
【図１１】中継ジャック６の使用状態を示す図。
【図１２】（ａ）〜（ｃ）は、中継ジャック６を収納ケース１内に収納する為に、折り畳む過程を示す図。
【符号の説明】
１…収納ケース、１ｄ…モジュラーケーブル収納室、１ｅ…中継ジャック収納室、５…モジュラーケーブル，５ｂ…コネクタプラグ、６…中継ジャック、７…ジャックベース部、８，９…ジャックカバー部
【図１】
0003911782.tif 000002
【図２】
0003911782.tif 000003
【図３】
0003911782.tif 000004
【図４】
0003911782.tif 000005
【図５】
0003911782.tif 000006
【図６】
0003911782.tif 000007
【図７】
0003911782.tif 000008
【図８】
0003911782.tif 000009
【図９】
0003911782.tif 000010
【図１０】
0003911782.tif 000011
【図１１】
0003911782.tif 000012
【図１２】
0003911782.tif 000013